(57)【特許請求の範囲】
【請求項１】
印刷する際の印刷部数を指定する印刷部数指定手段と、
事前印刷された印刷物である原稿を読み取って、読み取り画像データを得る読取手段と、
読取手段による読み取り対象である前記原稿が、当該原稿の事前印刷の際にＷｅｂ上の所定アドレスに記憶されている第１画像データに基づいて印刷された印刷物であって印刷面の所定領域に前記所定アドレスの記載が付加されているものである場合に、前記読み取り画像データの中から前記所定アドレスを認識するように、前記読み取り画像データ中の所定領域で文字認識処理する認識手段と、
前記認識手段によって前記読み取り画像データ中から前記所定アドレスが認識された場合には、当該所定アドレスに前記原稿を読み取る際に記憶されている第２画像データを取得するために、当該所定アドレスに転送要求を送信する転送要求送信手段と、
前記認識手段によって前記所定アドレスが認識されなかったか、または前記第２画像データが取得できなかった場合には、前記読み取り画像データを印刷対象として設定する一方、前記認識手段によって前記所定アドレスが認識され、かつ前記第２画像データが取得された場合には、前記第２画像データを印刷対象として設定する印刷対象設定手段と、
前記読み取り画像データが印刷対象として設定された場合には、前記印刷部数指定手段により指定された印刷部数で印刷指示する一方、前記第２画像データが印刷対象として設定された場合には、前記印刷部数指定手段により指定された印刷部数より１部多く印刷指示するように制御する制御手段と、
を有することを特徴とする画像処理装置。
【請求項２】
前記制御手段は、前記第２画像データが印刷対象として設定された場合であって、さらに前記第２画像データと前記第１画像データとを比較して両画像データが実質的に異なるとき、前記印刷部数指定手段により指定された印刷部数より１部多い印刷指示をするように制御する一方、前記両画像データが実質的に異ならないとき、前記印刷部数指定手段により指定された印刷部数で印刷指示するように制御することを特徴とする請求項１に記載の画像処理装置。
【請求項３】
前記第２画像データおよび前記読み取り画像データのうち印刷対象として設定されたデータを印刷する印刷手段をさらに有することを特徴とする請求項１または２に記載の画像処理装置。
【請求項４】
印刷する際の印刷部数を指定する段階と、
事前印刷された印刷物である原稿を読み取って、読み取り画像データを得る段階と、
読み取り対象である前記原稿が、当該原稿の事前印刷の際にＷｅｂ上の所定アドレスに記憶されている第１画像データに基づいて印刷された印刷物であって印刷面の所定領域に前記所定アドレスの記載が付加されているものである場合に、前記読み取り画像データの中から前記所定アドレスを認識するように、前記読み取り画像データ中の所定領域で文字認識処理する段階と、
前記読み取り画像データの中から前記所定アドレスが認識された場合には、当該所定アドレスに前記原稿を読み取る際に記憶されている第２画像データを取得するために、当該所定アドレスに転送要求を送信する段階と、
前記読み取り画像データの中から前記所定アドレスが認識されなかったか、または前記第２画像データが取得できなかった場合には、前記読み取り画像データを印刷対象として設定する一方、前記読み取り画像データの中から前記所定アドレスが認識され、かつ前記第２画像データが取得された場合には、前記第２画像データを印刷対象として設定する段階と、
前記読み取り画像データが印刷対象として設定された場合には、指定された印刷部数で印刷指示する一方、前記第２画像データが印刷対象として設定された場合には、指定された印刷部数より１部多く印刷指示するように制御する段階と、
を有することを特徴とする画像処理方法。
【請求項５】
印刷する際の印刷部数を指定する手順と、
事前印刷された印刷物である原稿を読み取って、読み取り画像データを得る手順と、
読み取り対象である前記原稿が、当該原稿の事前印刷の際にＷｅｂ上の所定アドレスに記憶されている第１画像データに基づいて印刷された印刷物であって印刷面の所定領域に所定アドレスの記載が付加されているものである場合に、前記読み取り画像データの中から前記所定アドレスを認識するように、前記読み取り画像データ中の所定領域で文字認識処理する手順と、
前記読み取り画像データの中から前記所定アドレスが認識された場合には、当該所定アドレスに前記原稿を読み取る際に記憶されている第２画像データを取得するために、当該所定アドレスに転送要求を送信する手順と、
前記読み取り画像データの中から前記所定アドレスが認識されなかったか、または前記第２画像データが取得できなかった場合には、前記読み取り画像データを印刷対象として設定する一方、前記読み取り画像データの中から前記所定アドレスが認識され、かつ前記第２画像データが取得された場合には、前記第２画像データを印刷対象として設定する手順と、
前記読み取り画像データが印刷対象として設定された場合には、指定された印刷部数で印刷指示する一方、前記第２画像データが印刷対象として設定された場合には、指定された印刷部数より１部多く印刷指示するように制御する手順と、
をコンピュータに実行させることを特徴とする画像処理プログラム。
【請求項６】
請求項５に記載の画像処理プログラムを記録したコンピュータ読み取り可能な記録媒体。
【発明の詳細な説明】
【０００１】
【発明の属する技術分野】
本発明は、Ｗｅｂページの印刷物を読み取ってＵＲＬを文字認識し、そのＷｅｂサーバに接続してＷｅｂページの画像データを生成して出力する画像処理装置に関する。
【０００２】
【従来の技術】
近年、パソコンの普及に伴いインターネットの利用者が増大し、Ｗｅｂページを印刷する機会が増えるとともに、未だ紙媒体による情報伝播が相当量行われていることから、Ｗｅｂページの印刷物を原稿として、コピーする機会も多くなっている。
【０００３】
ところが、Ｗｅｂページは日々更新されている場合があり、この場合、以前に取得された印刷物の内容が最新の情報ではなくなってしまう。
【０００４】
この問題を解決するために、Ｗｅｂページの印刷物をコピーする際に、原稿のフッタ等に記録されているＵＲＬを文字認識し、そのＵＲＬが示すＷｅｂサーバに接続してＨＴＭＬファイルを取得し、Ｗｅｂページの画像データを生成して、これを印刷することにより最新の情報を有する印刷物を取得できる画像処理装置が提案されている。
【０００５】
【発明が解決しようとする課題】
しかし、上記のような画像処理装置では、Ｗｅｂページの印刷物を原稿として、たとえば会議の出席者に配布する会議資料を準備するために複数部数を指定してコピーした場合、原稿の内容と印刷処理して取得された最新の情報を有するコピーの内容とが異なることが生じ得る。この場合、原稿を持っている自分の分だけ、最新の更新情報を有するコピーが不足することになり、結果的に、会議資料が必要な部数よりも１部少なくなってしまうという問題があった。
【０００６】
本発明は、上記従来技術の有する問題点に鑑みなされたものであり、その目的とするところは、Ｗｅｂページの印刷物を原稿として読み取り、最新のＷｅｂページに基づいて印刷処理を行う場合、指定された印刷部数よりも１部多く出力し得る画像処理装置を提供することである。
【０００７】
【課題を解決するための手段】
本発明の上記目的は、以下の各手段により達成される。
【０００８】
（１）印刷する際の印刷部数を指定する印刷部数指定手段と、事前印刷された印刷物である原稿を読み取って、読み取り画像データを得る読取手段と、読取手段による読み取り対象である前記原稿が、当該原稿の事前印刷の際にＷｅｂ上の所定アドレスに記憶されている第１画像データに基づいて印刷された印刷物であって印刷面の所定領域に前記所定アドレスの記載が付加されているものである場合に、前記読み取り画像データの中から前記所定アドレスを認識するように、前記読み取り画像データ中の所定領域で文字認識処理する認識手段と、前記認識手段によって前記読み取り画像データ中から前記所定アドレスが認識された場合には、当該所定アドレスに前記原稿を読み取る際に記憶されている第２画像データを取得するために、当該所定アドレスに転送要求を送信する転送要求送信手段と、前記認識手段によって前記所定アドレスが認識されなかったか、または前記第２画像データが取得できなかった場合には、前記読み取り画像データを印刷対象として設定する一方、前記認識手段によって前記所定アドレスが認識され、かつ前記第２画像データが取得された場合には、前記第２画像データを印刷対象として設定する印刷対象設定手段と、前記読み取り画像データが印刷対象として設定された場合には、前記印刷部数指定手段により指定された印刷部数で印刷指示する一方、前記第２画像データが印刷対象として設定された場合には、前記印刷部数指定手段により指定された印刷部数より１部多く印刷指示するように制御する制御手段と、を有することを特徴とする画像処理装置。
【０００９】
（２）記制御手段は、前記第２画像データが印刷対象として設定された場合であって、さらに前記第２画像データと前記第１画像データとを比較して両画像データが実質的に異なるとき、前記印刷部数指定手段により指定された印刷部数より１部多い印刷指示をするように制御する一方、前記両画像データが実質的に異ならないとき、前記印刷部数指定手段により指定された印刷部数で印刷指示するように制御することを特徴とする上記（１）に記載の画像処理装置。
【００１０】
（３）前記第２画像データおよび前記読み取り画像データのうち印刷対象として設定されたデータを印刷する印刷手段をさらに有することを特徴とする上記（１）または（２）に記載の画像処理装置。
【００１１】
（４）印刷する際の印刷部数を指定する段階と、事前印刷された印刷物である原稿を読み取って、読み取り画像データを得る段階と、読み取り対象である前記原稿が、当該原稿の事前印刷の際にＷｅｂ上の所定アドレスに記憶されている第１画像データに基づいて印刷された印刷物であって印刷面の所定領域に前記所定アドレスの記載が付加されているものである場合に、前記読み取り画像データの中から前記所定アドレスを認識するように、前記読み取り画像データ中の所定領域で文字認識処理する段階と、前記読み取り画像データの中から前記所定アドレスが認識された場合には、当該所定アドレスに前記原稿を読み取る際に記憶されている第２画像データを取得するために、当該所定アドレスに転送要求を送信する段階と、前記読み取り画像データの中から前記所定アドレスが認識されなかったか、または前記第２画像データが取得できなかった場合には、前記読み取り画像データを印刷対象として設定する一方、前記読み取り画像データの中から前記所定アドレスが認識され、かつ前記第２画像データが取得された場合には、前記第２画像データを印刷対象として設定する段階と、前記読み取り画像データが印刷対象として設定された場合には、指定された印刷部数で印刷指示する一方、前記第２画像データが印刷対象として設定された場合には、指定された印刷部数より１部多く印刷指示するように制御する段階と、を有することを特徴とする画像処理方法。
【００１２】
（５）印刷する際の印刷部数を指定する手順と、事前印刷された印刷物である原稿を読み取って、読み取り画像データを得る手順と、読み取り対象である前記原稿が、当該原稿の事前印刷の際にＷｅｂ上の所定アドレスに記憶されている第１画像データに基づいて印刷された印刷物であって印刷面の所定領域に所定アドレスの記載が付加されているものである場合に、前記読み取り画像データの中から前記所定アドレスを認識するように、前記読み取り画像データ中の所定領域で文字認識処理する手順と、前記読み取り画像データの中から前記所定アドレスが認識された場合には、当該所定アドレスに前記原稿を読み取る際に記憶されている第２画像データを取得するために、当該所定アドレスに転送要求を送信する手順と、前記読み取り画像データの中から前記所定アドレスが認識されなかったか、または前記第２画像データが取得できなかった場合には、前記読み取り画像データを印刷対象として設定する一方、前記読み取り画像データの中から前記所定アドレスが認識され、かつ前記第２画像データが取得された場合には、前記第２画像データを印刷対象として設定する手順と、前記読み取り画像データが印刷対象として設定された場合には、指定された印刷部数で印刷指示する一方、前記第２画像データが印刷対象として設定された場合には、指定された印刷部数より１部多く印刷指示するように制御する手順と、をコンピュータに実行させることを特徴とする画像処理プログラム。
【００１３】
（６）上記（５）に記載の画像処理プログラムを記録したコンピュータ読み取り可能な記録媒体。
【００１４】
【発明の実施の形態】
以下、本発明の実施の形態を、図面を参照して詳細に説明する。
【００１５】
図１は、本発明の第１の実施形態にかかる画像処理装置を含む画像処理システムの全体構成を示すブロック図である。本画像処理システムは、画像処理装置としてのデジタル複写機１１とＷｅｂサーバ２０とが通信ネットワーク３０を介して相互に接続されてなる。
【００１６】
図２は、本実施形態にかかるデジタル複写機１１の構成を示すブロック図である。図２において、デジタル複写機１１は、ＣＰＵ１１１、ＲＯＭ１１２、ＲＡＭ１１３、ハードディスク１１４、操作パネル部１１５、原稿読取部１１６、印刷部１１７、およびネットワークインタフェース１１８を備えており、これらは信号を遣り取りするためのバス１１９を介して相互に接続されている。
【００１７】
ＣＰＵ１１１は、プログラムにしたがって上記各部の制御や各種の演算処理等を行う。ＲＡＭ１１２は、作業領域として一時的にプログラムやデータを記憶する。ＲＯＭ１１３は、各種プログラムやパラメータを格納する。ハードディスク１１４は、各種プログラムやパラメータを格納し、または画像処理により得られた画像データ等を一時的に保存するために使用される。本実施形態において、デジタル複写機１１は後述する所定の動作を行うが、このためのデジタル複写機１１の動作を制御するプログラムは、ＲＯＭ１１３またはハードディスク１１４に格納されている。
【００１８】
操作パネル部１１５は、各種情報が表示される液晶タッチパネル、コピー枚数等を設定するテンキー、動作の開始を指示するスタートキー、動作の停止を指示するストップキー、各種設定条件を初期化するリセットキー等を備えている。
【００１９】
原稿読取部１１６は、所定の読み取り位置にセットされた原稿に蛍光ランプ等の光源で光を当て、その反射光をＣＣＤやＣＩＳ等の受光素子で光電変換して、その電気信号から画像データ（ビットマップデータ）を生成する。原稿読取部１１６は、自動原稿搬送装置（ＡＤＦ）を備えており、これにより複数枚の原稿をＡＤＦにより一枚ずつ所定の読み取り位置まで搬送して順次読み取ることができる。
【００２０】
印刷部１１７は、画像処理後の画像データを設定条件に従って印刷する。
【００２１】
ネットワークインタフェース１１８は、ネットワークに接続しネットワーク上の他の機器と通信するためのインタフェースであり、イーサネット（登録商標）、トークンリング、ＦＤＤＩ等の規格が用いられる。
【００２２】
Ｗｅｂサーバ２０は、ＷＷＷサーバ機能を有するコンピュータである。Ｗｅｂサーバ２０は、ＷＷＷデータベースとしてネットワーク上でＨＴＭＬ形式による文書ファイルを公開し、クライアントからの要求に応じてＨＴＭＬファイルを転送する機能を有する。
【００２３】
通信ネットワーク３０は、電話網、ＩＳＤＮ、パケット交換網等の公衆網、およびＬＡＮ、ＷＡＮ、インターネット等のコンピュータネットワークを含むものである。
【００２４】
図３は、本実施形態におけるデジタル複写機１１の画像処理の手順を示すフローチャートである。まず、デジタル複写機１１において、ユーザにより、Ｗｅｂページを印刷した原稿が原稿台の所定の位置にセットされた後、操作パネル部１１５を通したユーザによる入力によって、コピー部数、用紙サイズ、倍率、濃度、レイアウト（Ｎページ分のデータを1ページの出力データに配置する機能（Ｎｉｎ１）等）、片面・両面コピー、ソート、仕上げ機能（ステープル機能、折り機能、パンチホール機能など）等のコピー条件が設定される（Ｓ１０１）。そして、コピーの開始命令があるまで待機する（Ｓ１０２）。図４は、Ｗｅｂページを印刷した原稿の一例を示す図である。このように、Ｗｅｂページを印刷した原稿には、所定の領域、たとえばヘッダやフッタ等に前記ＷｅｂページのＵＲＬが印刷されている。
【００２５】
デジタル複写機１１は、ユーザからコピーの開始命令があると（Ｓ１０２のＹＥＳ）、セットされた原稿を読み取って画像データを取得し（Ｓ１０３）、得られた画像データをハードディスク１１４に保存する（Ｓ１０４）。
【００２６】
ついで、画像データの所定領域を対象に文字認識を行う（Ｓ１０５）。上述のとおり原稿がＷｅｂページを印刷したものである場合、取得した画像データの所定領域にはＵＲＬが存在している。かかる場合、ＵＲＬの表示される領域は決まっているため、文字認識の対象をかかる領域に限定することができ、文字認識処理の効率を上げることができる。文字認識の方法としては、たとえば各文字画像の特微量と予め記憶されている辞書パターンとの一致の度合いに基づいて判別する方法等を用いることができる。
【００２７】
前記文字認識処理によりＵＲＬが認識されなかった場合は（Ｓ１０６のＮＯ）、Ｓ１０４の手順でハードディスク１１４に保存した画像データをＲＡＭ１１３に読み出し（Ｓ１０７）、前記画像データを印刷部１１７において設定条件に従って印刷し出力する（Ｓ１０８）。
【００２８】
一方、前記文字認識処理によりＵＲＬが認識された場合は（Ｓ１０６のＹＥＳ）、認識されたＵＲＬで示されるＷｅｂサーバ２０に、ＨＴＭＬファイルの転送要求を、ネットワークインタフェース１１８および通信ネットワークを介して送信する（Ｓ１０９）。
【００２９】
ＨＴＭＬファイルの転送要求を送信後、何らかの理由、たとえばＵＲＬの文字認識の誤りによる接続ミス、Ｗｅｂページの削除または移動、Ｗｅｂサーバのダウン、Ｗｅｂサーバへのアクセスの混雑等により、所定の時間内にＷｅｂサーバ２０からＨＴＭＬファイルを受信できなかった場合（Ｓ１１０のＮＯ）、図５に示すようなエラーメッセージを操作パネル部１１５に表示し（Ｓ１１１）、Ｓ１０４の手順でハードディスク１１４に保存した画像データをＲＡＭ１１３に読み出して（Ｓ１０７）、前記画像データを印刷部１１７において設定条件に従って印刷し出力する（Ｓ１０８）。
【００３０】
なお、Ｓ１１１のエラーメッセージの表示手順において、操作パネル部１１５に表示するエラーメッセージの画面に、図６に示すように「ＵＲＬを修正して再接続」および「原稿コピー」のボタンを設け、Ｓ１０５の文字認識の手順においてＵＲＬが誤認識されたためにＷｅｂサーバ２０に接続できなかった場合に、ＵＲＬを修正してＷｅｂサーバ２０に再接続するか、原稿のコピーを出力するかをユーザに選択させる構成としてもよい。この場合、ユーザは、画面に表示されたＵＲＬを確認し、ＵＲＬに誤りがある場合に「ＵＲＬを修正して再接続」のボタンを押して、ついで表示される図７に示すようなＵＲＬ修正画面においてＵＲＬを修正し再接続の指示をすることができる。
【００３１】
ＨＴＭＬファイルの転送要求を送信後、所定の時間内にＷｅｂサーバ２０からＨＴＭＬファイルを受信した場合には（Ｓ１１０のＹＥＳ）、受信したＨＴＭＬファイルを解析して、Ｗｅｂサーバに画像ファイル等のリンクファイルの転送要求を、ネットワークインタフェース１１８および通信ネットワークを介して送信する（Ｓ１１２）。リンクファイルの転送要求の送信後、Ｗｅｂサーバへのアクセスの混雑等により所定の時間内にＷｅｂサーバ２０からリンクファイルを受信できなかった場合（Ｓ１１３のＮＯ）、「リンクファイルが見つかりません。」等のエラーメッセージを操作パネル部１１５に表示し（Ｓ１１４）、Ｓ１０４の手順でハードディスク１１４に保存した画像データをＲＡＭ１１３に読み出して（Ｓ１０７）、前記画像データを印刷部１１７において設定条件に従って印刷し出力する（Ｓ１０８）。
【００３２】
ＨＴＭＬファイルの転送要求を送信後、所定の時間内にＷｅｂサーバ２０からリンクファイルを受信した場合には（Ｓ１１３のＹＥＳ）、受信したＨＴＭＬファイルおよびリンクファイルからＷｅｂページの画像データを生成し（Ｓ１１５）、前記画像データを印刷部１１７において設定条件に従って印刷し出力するものである（Ｓ１０８）。
【００３３】
図８は、図３における印刷処理（Ｓ１０８）のサブルーチンを示すフローチャートである。この印刷処理（Ｓ１０８）ではまず、図３におけるコピー条件設定（Ｓ１０１）においてユーザによる入力に応じて指定されたコピー部数を読み込み、コピー部数Ｎをセットする（Ｓ２０１）。次に、印刷する画像データが、Ｗｅｂサーバから受信したファイルに基づく画像データであるか、原稿読取によって得られた画像データであるかを判別する（Ｓ２０２）。
【００３４】
Ｗｅｂサーバから受信したファイルに基づく画像データである場合には（Ｓ２０２のＹＥＳ）、原稿の内容と異なっている可能性があるので、指定されたコピー部数より１部多くコピーを出カするよう印刷部数（＝Ｎ＋１）を設定する（Ｓ２０３）。一方、原稿読取によって得られた画像データである場合には（Ｓ２０２のＮＯ）、指定されたコピー部数を印刷部数（＝Ｎ）として設定する（Ｓ２０５）。そして、Ｓ２０３、あるいはＳ２０５で設定された印刷部数に基づいて印刷を行う（Ｓ２０４）。
【００３５】
このように第１の実施形態によれば、Ｗｅｂページの印刷物を原稿として読み取り、最新のＷｅｂページに基づいて印刷処理を行う場合、指定されたコピー部数よりも１部多く出力するので、原稿を持っている人の分も最新の情報を有するコピーが作成され、したがって、たとえば会議資料が必要な部数よりも足らなくなるという事態を防止することができる。
【００３６】
次に、第２の実施形態について説明する。構成要件は第１の実施形態と同様であるので、相違点のみ説明する。
【００３７】
図９は、第２の実施形態におけるデジタル複写機１１の画像処理の手順を示すフローチャートである。Ｓ３０２〜３０７、Ｓ３０９〜３１５は、図３におけるＳ１０２〜１０７、Ｓ１０９〜１１５と同様である。
【００３８】
Ｓ３０１では、操作パネル部１１５を通してコピー条件が設定され、この結果、ユーザによる入力に応じて指定されたコピー部数ＮがＲＡＭ１１３に記憶される。
【００３９】
第２の実施形態では、Ｗｅｂサーバのファイルに基づいて生成された画像データと原稿読取（Ｓ３０３）にて得られた画像データとの内容を比較し（Ｓ３１６）、お互いの画像データが異なる場合のみ（Ｓ３１７のＮＯ）、コピー部数を指定された部数より１部多く設定する（Ｓ３１８）。このようにすることにより、原稿の内容と印刷処理して取得されたコピーの内容とが実際に異なる場合のみ、１部多く印刷することができる。したがって、不要な印刷処理を防止して、過不足のないコピーを得ることができる。
【００４０】
次に、図１０に基づいて、図９の画像データの比較処理（Ｓ３１６）について説明する。デジタル複写機において、ハードディスク１１４に保存されている原稿読取画像データをＲＡＭ１１３へ読み出し、生成されたＷｅｂ画像データと原稿読取画像データとの比較を行う。ここで、両画像データの比較処理は、同じサイズおよび解像度でビットマップ展開された印刷用データに基づいて行われる。
【００４１】
画像データの比較の方法は、次のとおりである。まず、Ｗｅｂ画像データから原稿読取画像データを対応画素間で引き算する（Ｓ４０１）。対応画素の検出は、原稿読取画像データにおいて、原稿に対応する領域と、原稿読取部に備えられた原稿抑えに対応する領域との境目を検出し、原稿に対応する領域内と判断される部分の左上の画素から順にＷｅｂ画像データの左上の画素と対応付けていく方法で行われる。ただし、対応画素の検出方法については前記の方法に限定されない。次に、引き算の結果の絶対値が所定の第１しきい値（１画素を２５６階調とした場合、たとえばその１０％に当たる２５．６）以下である画素の全体に対する割合を計算する（Ｓ４０２）。計算された割合が所定の第２しきい値（たとえば９割）よりも低い場合（Ｓ４０３のＹＥＳ）、Ｗｅｂ画像データと原稿読取画像データとが異なると判定され（Ｓ４０５）、計算された割合が所定の第２しきい値以上である場合（Ｓ４０３のＮＯ）、Ｗｅｂ画像データと原稿読取画像データとが実質的に同じであると判定される。なお、上記の第１および第２しきい値は、経験値によるものであり、上記値に限定されない。また、画像データの比較方法についても上記方法に限定されない。
【００４２】
本発明の画像処理装置は、上記実施形態に示したデジタル複写機の他、原稿読取機能を有するスキャナ、ファクシミリ装置、多機能周辺機器（ＭＦＰ）等の各種機器にも応用することができる。
【００４３】
本発明による画像処理装置を構成する各手段、および画像処理方法は、専用のハードウエア回路によっても、プログラムされた画像処理装置によっても実現することができる。プログラムされた画像処理装置によって本発明を実現する場合、画像処理装置を動作させるプログラムは、フレキシブルディスクやＣＤ−ＲＯＭ等のコンピュータ読取可能な記録媒体によって提供されることができる。この場合、コンピュータ読取可能な記録媒体に記録されたプログラムは、通常、ＲＯＭやハードディスク等に転送され記憶される。また、このプログラムは、たとえば、単独のアプリケーションソフトとして提供されてもよいし、また、画像処理装置の一機能としてその装置のソフトウエアに組み込んでもよい。
【００４４】
【発明の効果】
上述のとおり、本発明によれば、Ｗｅｂページの印刷物を原稿として読み取ってＵＲＬを文字認識し、そのＷｅｂサーバに接続してＷｅｂページの画像データを生成して印刷出力する際に、指定された印刷部数よりも１部多く出力し得るので、原稿を持っている人の分も最新の情報を有するコピーが作成され、したがって、たとえば会議資料等が足らなくなるという問題を解決することができる。
【図面の簡単な説明】
【図１】  本発明の第１の実施形態にかかるデジタル複写機１１を含む画像処理システムの全体構成を示すブロック図である。
【図２】  本発明の第１の実施形態にかかるデジタル複写機１１の構成を示すブロック図である。
【図３】  本発明の第１の実施形態にかかるデジタル複写機１１の画像処理の手順を示すフローチャートである。
【図４】  本発明の第１の実施形態におけるＷｅｂページを印刷した原稿の一例を示す図である。
【図５】  本発明の第１の実施形態において、Ｗｅｂサーバ２０からＨＴＭＬファイルを受信できなかった場合に操作パネル部１１５に表示されるエラーメッセージの一例を示す図である。
【図６】  本発明の第１の実施形態において、Ｗｅｂサーバ２０からＨＴＭＬファイルを受信できなかった場合に操作パネル部１１５に表示されるエラーメッセージの他の例を示す図である。
【図７】  本発明の第１の実施形態において、ＵＲＬの誤りを修正する場合に操作パネル部１１５に表示されるＵＲＬ修正画面の一例を示す図である。
【図８】  図３における印刷処理のサブルーチンを示すフローチャートである。
【図９】  本発明の第２の実施形態におけるデジタル複写機１１の画像処理の手順を示すフローチャートである。
【図１０】  図９における画像データの比較処理のサブルーチンを示すフローチャートである。
【符号の説明】
１１…デジタル複写機、
２０…Ｗｅｂサーバ、
３０…通信ネットワーク、
１１１…ＣＰＵ、
１１２…ＲＯＭ、
１１３…ＲＡＭ、
１１４…ハードディスク、
１１５…操作パネル部、
１１６…原稿読取部、
１１７…印刷部、
１１８…ネットワークインタフェース、
１１９…バス。
【図１】
0004089191.tif 000002
【図２】
0004089191.tif 000003
【図３】
0004089191.tif 000004
【図４】
0004089191.tif 000005
【図５】
0004089191.tif 000006
【図６】
0004089191.tif 000007
【図７】
0004089191.tif 000008
【図８】
0004089191.tif 000009
【図９】
0004089191.tif 000010
【図１０】
0004089191.tif 000011